(57)【要約】【課題】目視できない状態でもカバーの回動支点側を接続箱本体にスムーズ且つ確実に係合させて、カバーをスムーズ且つ確実に接続箱本体に装着する。【解決手段】接続箱本体２の一方の係止部１５にカバー１０の一方の被係止部１４を係合させ、係止部を支点にカバーを閉止方向に回動させて、接続箱本体の他方の係止部２１ａにカバーの他方の被係止部１９を係合させる電気接続箱１のカバー閉止構造で、接続箱本体の外壁３にブラケット４を設け、ブラケットに傾斜ガイド面８を設け、カバーの外壁１１に、傾斜ガイドに沿う傾斜辺部１２を設けた。ブラケット４の傾斜ガイド面１２と交差する面７ａに傾斜部９を設け、カバー１０の外壁１１に、傾斜辺部と交差する水平辺部１３を傾斜部に沿って設け、傾斜部に水平辺部を摺接させて、接続箱本体の一方の係止部にカバーの一方の被係止部を誘導可能とした。【選択図】図１
2010124562.tif 000002
【特許請求の範囲】
【請求項１】
接続箱本体の一方の係止部にカバーの一方の被係止部を係合させ、該係止部を支点に該カバーを閉止方向に回動させて、該接続箱本体の他方の係止部に該カバーの他方の被係止部を係合させる電気接続箱のカバー閉止構造において、
前記接続箱本体の外壁にブラケットを設け、該ブラケットに傾斜ガイド面を設け、前記カバーの外壁に、該傾斜ガイドに沿う傾斜辺部を設け、該傾斜ガイドに該傾斜辺部を摺接させて、前記接続箱本体の一方の係止部に前記カバーの一方の被係止部を誘導可能としたことを特徴とする電気接続箱のカバー閉止構造。
【請求項２】
前記ブラケットの前記傾斜ガイド面と交差する面に傾斜部を設け、前記カバーの外壁に、前記傾斜辺部と交差する水平辺部を該傾斜部に沿って設け、該傾斜部に該水平辺部を摺接させて、前記接続箱本体の一方の係止部に前記カバーの一方の被係止部を誘導可能としたことを特徴とする請求項１記載の電気接続箱のカバー閉止構造。
【請求項３】
前記傾斜部が複数の並列な傾斜状のリブで構成されたことを特徴とする請求項２記載の電気接続箱のカバー閉止構造。
【発明の詳細な説明】
【技術分野】
【０００１】
本発明は、カバーを一方の係止手段を支点に回動させて他方の係止手段で接続箱本体に閉止させる電気接続箱のカバー閉止構造に関するものである。
【背景技術】
【０００２】
従来の電気接続箱のカバー閉止構造の一形態（図示せず）として、例えば特許文献１には、合成樹脂製の接続箱本体にカバーを装着するのに際して、接続箱本体の一方のフック部を支点にカバーを閉止方向に回動させて接続箱本体の他方のロックアームで係止させることが記載されている。
【０００３】
図７（ａ）（ｂ）は、従来の電気接続箱のカバー閉止構造の他の形態を示すものである。
【０００４】
この構造は、合成樹脂製の接続箱本体４１の一方に水平な板状の突起４２、他方に縦断面略三角状の突起４３をそれぞれ設け、合成樹脂製のカバー４４の一方に、突起４２に係合する枠状フック４５、他方に、突起４３に係合するロックアーム４６をそれぞれ設け、カバー４４を一方の突起４５を支点に閉止方向に回動させて、他方の突起４３にロックアーム４６を係合させるものである。
【特許文献１】特開平５−４９１３８号公報（図５〜図１２）
【発明の開示】
【発明が解決しようとする課題】
【０００５】
しかしながら、上記従来の構造にあっては、カバー４４の回動支点側が例えば車両のエンジンルーム内でヘッドランプユニット等に隠れて見えない場合に、予測作業で枠状フック４５を一方の突起４２に引っ掛け、カバー４４を回動させてロックアーム４６を他方の突起４３に係合させる訳であるが、枠状フック４５を一方の突起４２に引っ掛け損なう（枠状フック４５が突起４２の上に乗る）懸念があり、その場合に、他方のロックアーム４６のみが突起４３に嵌合して、枠状フック４５と突起４２との係合が不完全のままとなる心配があった。
【０００６】
本発明は、上記した点に鑑み、目視できない状態でもカバーの回動支点側を接続箱本体にスムーズ且つ確実に係合させて、カバーをスムーズ且つ確実に接続箱本体に装着することのできる電気接続箱のカバー閉止構造を提供することを目的とする。
【課題を解決するための手段】
【０００７】
上記目的を達成するために、本発明の請求項１に係る電気接続箱のカバー閉止構造は、接続箱本体の一方の係止部にカバーの一方の被係止部を係合させ、該係止部を支点に該カバーを閉止方向に回動させて、該接続箱本体の他方の係止部に該カバーの他方の被係止部を係合させる電気接続箱のカバー閉止構造において、前記接続箱本体の外壁にブラケットを設け、該ブラケットに傾斜ガイド面を設け、前記カバーの外壁に、該傾斜ガイドに沿う傾斜辺部を設け、該傾斜ガイドに該傾斜辺部を摺接させて、前記接続箱本体の一方の係止部に前記カバーの一方の被係止部を誘導可能としたことを特徴とする。
【０００８】
上記構成により、カバーをブラケットの上に載せ、手前に引くことで、カバーの傾斜辺部がブラケットの傾斜ガイド面に沿って移動しつつ、カバーの一方の被係止部が接続箱本体の一方の係止部に向けて誘導・案内されて係合する。この一方の係止部と被係止部との係合は予測作業（ブラインド状態での作業）で行われる。次いで、一方の係止部を支点にカバーを閉止方向に回動させることで、他方の係止部と被係止部とが係合して、カバーが完全にロックされる。
【０００９】
請求項２に係る電気接続箱のカバー閉止構造は、請求項１記載の電気接続箱のカバー閉止構造において、前記ブラケットの前記傾斜ガイド面と交差する面に傾斜部を設け、前記カバーの外壁に、前記傾斜辺部と交差する水平辺部を該傾斜部に沿って設け、該傾斜部に該水平辺部を摺接させて、前記接続箱本体の一方の係止部に前記カバーの一方の被係止部を誘導可能としたことを特徴とする。
【００１０】
上記構成により、ブラケットの傾斜ガイド面にカバーの傾斜辺部が摺接すると同時に、ブラケットの傾斜部に沿ってカバーの水平辺部が摺接して、カバーが斜め上向きに移動しつつ（ロアカバーの場合は斜め下向きに移動しつつ）、傾斜辺部が傾斜ガイド面に沿って上昇し、カバーの一方の被係止部が接続箱本体の一方の係止部に向けて誘導・案内されて係合する。ブラケットの交差する傾斜ガイド面と傾斜部と、カバーの交差する傾斜辺部と水平辺部との当接（摺接）によって、カバーが二方向（幅方向と高さ方向）に正確に位置規定（位置決め）される。
【００１１】
請求項３に係る電気接続箱のカバー閉止構造は、請求項２記載の電気接続箱のカバー閉止構造において、前記傾斜部が複数の並列な傾斜状のリブで構成されたことを特徴とする。
【００１２】
上記構成により、傾斜部として、平面的な傾斜面を用いる場合に較べて、細幅の複数のリブを用いることで、カバーの水平辺部に対する接触面積が減少し、摺動抵抗が低減され、スムーズな摺接が可能となる。また、複数の並列なリブの長手方向に沿ってカバーの水平辺部の直進性が高まり、一方の係止部に対する被係止部の誘導性・案内性が高まる。
【発明の効果】
【００１３】
請求項１記載の発明によれば、車両等の狭いスペースにおいて少なくとも電気接続箱の一方の部分がブラインドになっている場合でも、カバーを手前に引いて傾斜辺部をブラケットの傾斜ガイド面に沿って移動させることで、一方の係止部と被係止部との係合をスムーズ且つ確実に行うことができ、カバーの閉止作業性が向上すると共に、カバーのロック品質が保証され、カバーの不完全閉止に伴う電気接続箱内への水滴や塵等の侵入やカバーの不意な外れやガタつきによる異音等が防止される。
【００１４】
請求項２記載の発明によれば、カバーがブラケットの傾斜ガイド面と傾斜部との二面で幅方向と高さ方向に正確に位置決めされつつ、二面に沿って摺動することで、一方の係止部と被係止部との係合が一層スムーズ且つ確実に行われて、請求項１記載の発明の効果が促進される。
【００１５】
請求項３記載の発明によれば、複数の並列なリブによってカバーの水平辺部に対する摺動抵抗が低減されると共に、カバーの直進性が高まって、カバーを手前に引いて移動させる際の作業性と、一方の係止部に対する被係止部の誘導性とが向上し、請求項２記載の発明の効果が促進される。
【発明を実施するための最良の形態】
【００１６】
図１〜図６は、本発明に係る電気接続箱のカバー閉止構造の一実施形態を示すものである。
【００１７】
図１（ａ）（ｂ），図２の如く、この構造は、電気接続箱１の合成樹脂製のフレーム（接続箱本体）２の一方（前側）の外壁３に車両取付用のブラケット４を設け、ブラケット４の垂直な主体部５と外壁３の上部との間にブラケット４の付け根部分である垂直なリブ状の支持壁６を形成介在させ、ブラケット主体部５と支持壁６との上部に水平な外向き（右向き）の鍔壁７を一体に形成し、ブラケット主体部５と支持壁７の上部側面に傾斜ガイド面８を形成すると共に、鍔壁７に複数のアシスト用のリブ（傾斜部）９を斜め上向きに傾斜させて設けたものである。
【００１８】
そして、合成樹脂製のアッパカバー（カバー）１０の一方（前側）の外壁１１に傾斜辺部１２と上側の水平辺部１３とを交差して設けると共に、外壁１１の下端に枠状フック１４を設け、カバー１０の他方（後側）を高く傾斜させた状態で、傾斜辺部１２を傾斜ガイド面８に沿って、水平辺部１３をアシスト用のリブ９に沿ってそれぞれ他方に向けて（後方に）スライドさせて、カバー１０の枠状フック１４をフレーム２の外壁３の突起１５に誘導させるようにしている。
【００１９】
ブラケット４は、縦長の（垂直な）略長方形の主体部５と、主体部５の上側の水平な短い外向きの鍔壁７とを備えて縦断面略逆Ｌ字状に形成され、主体部５の下部側にボルト挿通孔１６を有している。主体部５は、外面（右）側の垂直な平坦な壁面と、内面（左）側の補強リブ１７とを有している。傾斜ガイド面８は主体部５の上部において内面側の補強リブ１７に形成されている。
【００２０】
支持壁６は、ブラケット主体部５の半分程度の上下方向長さの垂直部（符号６で示す）と、主体部側の鍔壁７と同じ突出長さ及び板厚の鍔壁（符号７で示す）とを有し、垂直部６は主体部５の上半部と同じ板厚で同一面に位置し、鍔壁７は主体部５側の鍔壁７と同じ板厚で同一面に位置している。傾斜ガイド面８は垂直部６の上部内面（左面）に形成されている。支持壁６もブラケット４の一部である。
【００２１】
図２の如く、ブラケット４（主体部５と支持壁６と）の鍔壁７の水平な上面７ａの上側に、カバー１０の一方の外壁１１の右端側の水平辺部１３が対向して位置し、ブラケット４（主体部５と支持壁６と）の傾斜ガイド面８の上側に、カバー１０の一方の外壁１１の水平辺部１３に下向きに続く傾斜辺部１２が対向して平行に位置する。傾斜ガイド面８と鍔部７の上面７ａとのなす角度は、カバー１０の水平辺部１３と傾斜辺部１２とのなす角度に等しく、傾斜ガイド面８の傾斜角はカバー１０の傾斜辺部１２の傾斜角に等しい。本例において傾斜ガイド面８と鍔部７の上面７ａとのなす角度は概略１２０°程度である。
【００２２】
ブラケット１０の傾斜ガイド面８と鍔壁７の上面７ａとの交差する二面で、カバー１０の傾斜辺部１２と水平辺部１３との交差する二面を支持して、カバー１０の位置を規制する（カバー１０を位置決めする）ことで、カバー１０の安定した案内（誘導）が可能となる。
【００２３】
図１，図２の如く、アシスト用のリブ９はブラケット４の鍔壁７の上面７ａに垂直に突設され、本例で三本並列（平行）に近接して配置されている。アシスト用のリブ９は鍔壁７の前側から後側にかけて漸次高さを増して直線的なテーパ状に形成されている。
【００２４】
図４，図６にも示す如く、アシスト用のリブ９は鍔壁７の後半側に位置し、リブ９の下端（前端）９ａは鍔壁７の長手方向中間部の上面７ａに交差して一体に続き、リブ９の上端（後端）９ｂはフレーム２の外壁面３に交差して一体に続いている。
【００２５】
アシスト用のリブ９に代えて鍔壁７の上面７ａにアシスト用の傾斜面（傾斜部）を設けることも可能である。アシスト用のリブ９によれば、アシスト用の傾斜面に較べて、カバー１０に対する摺動（スライド）抵抗が軽減されると共に、鍔壁７の補強（反り防止）と軽量化が可能となる。なお、本明細書において前後左右の方向性は説明の便宜上のものであり、必ずしも車両への電気接続箱１の取付方向と一致するものではなく。
【００２６】
図２の如く、カバーの枠状フック１４は、傾斜辺部１２の下端側に隣接して外壁１１の幅方向ほぼ中央に配置され、可撓性の左右一対の垂直片１４ａと、一対の垂直片１４ａの下端を連結した水平片１４ｂとで構成され、各垂直片１４ａの上半部はカバー１０の外壁面１１に交差して一体に続き、下端の水平片１４ｂと左右の垂直片１４ａとカバー１０の外面１１の下端（先端）１１ａとで囲まれて係止用の孔部１４ｃとを有している。また、フレーム２の突起１５は外壁面３から水平に板状に突出し、先端上部にガイド面取１５ａを有している。枠状フック１４や突起１５の形状は公知である。
【００２７】
図３は、電気接続箱１の他方の形状を示すものであり、カバー１０の他方の外壁面１８の幅方向ほぼ中央に可撓性のロックアーム１９が設けられ、フレーム２の他方の外壁２０に、ロックアーム１９の下端（自由端）の内向きの爪部１９ａを係合させる外向きの爪部２１ａを内設した枠状壁２１が設けられている。
【００２８】
ロックアーム１９の左右両側にはリブ状の保護壁２２が近接して突設されている。枠状壁２１は、垂直な正面側の壁部２１ｂと左右側のリブ状の壁部２１ｃとで構成され、外向きの爪部２１ａは外壁面２０に設けられている。これらロックアーム（被係止部）１９と枠状壁（係止部）２１又はその爪部２１ａとで他方の係止手段が構成される。ロックアーム１９と保護壁２２は枠状壁２１の内側に上方から下向きに挿入される。
【００２９】
他方の係止手段１９，２１の形状はこれに限られるものではなく、例えば外向きの爪部を有するロックアームと内向きの爪部を有する枠状壁の組み合わせや、従来の図７の孔付きのロックアームと、孔に係合する突起等を用いることも可能である。また、図１の枠状フック（被係止部）１４と突起（係止部）１５とで成る一方の係止手段の形状等も適宜設定可能である。
【００３０】
図３において、フレーム２の枠状壁２１を有する他方の外壁２０とは反対側の一方の外壁３に、ブラケット４とその上側の鍔壁７とアシスト用のリブ９と傾斜ガイド面８が配設されている。フレーム２はＸＹ方向の複数の隔壁２３を内側に有して、各隔壁２３に沿ってヒューズ装着部やリレー装着部やコネクタや電子制御ユニット等を下方から上向きに挿入係止させるものであり、フレーム２の上部側にヒューズやリレー２４（図４）やコネクタ等が配置され、フレーム２の上部開口がアッパカバー１０で覆われ、フレーム２の下側にヒューズやリレー２４やコネクタ等の接続電線が導出され、フレーム２の下部開口が合成樹脂製のロアカバー２５（図１，図４）で覆われている。
【００３１】
図４（ａ）（ｂ）〜図５（ａ）（ｂ）の如く、フレーム２内にヒューズやリレー２４やコネクタ等の電気・電子部品を装着し、ロアカバー２５を装着した状態で、アッパカバー１０の一方の枠状フック１４がフレーム２の一方の突起１５に係合される。
【００３２】
この一方の係止手段１４，１５の係合操作（作業）は、上記図１（ａ）（ｂ）の如く、カバー１０の一方を下向きに傾斜させた状態で、カバー０を手前（作業者の方向）に引いて、矢印Ａの如く、ブラケット４の傾斜ガイド面８とアシスト用のリブ９に沿ってカバー１０の傾斜辺部１２と水平辺部１３をスライドさせることで、スムーズに容易且つ確実に行うことができる。
【００３３】
すなわち、先ず、カバー１０の水平辺部１３がブラケット４の鍔壁７の前半の上面７ａに当接すると同時に、カバー１０の傾斜辺部１２がブラケット１０の傾斜ガイド面８に当接して初期の位置決めが行われ、その状態からカバー１０を後方に引くことで、矢印Ａの如く、傾斜辺部１２が傾斜ガイド面８をスライドしつつ、水平辺部１３がアシスト用のリブ９の上端面をスライドしてカバー１０と一体に上昇し、カバー１０の枠状フック１４が水平辺部１３と一体に斜め上向きに移動して、ブラケット１０の支持壁６に隣接するフレーム外壁３の突起１５に自動的に係合する。その状態で、突起１５を支点にカバー１０を下向きに回動させることで、図６の如く、他方のロックアーム１９が他方の爪部２１ａに係合する。
【００３４】
このように、作業者の目視によらない予測作業において、ブラケット側の傾斜ガイド面８とアシスト用のリブ９による誘導作用で枠状フック１４が突起１５に正確に係合することで、ロック不完全（枠状フック１４と突起１５とが不完全嵌合であっても他方のロックアーム１９と爪部２１ａとが嵌合すること）が防止され、ロック不完全に伴う不意なカバー１０の外れやカバー１０とフレーム２との隙間からの水滴や塵等の侵入等の心配が解消される。
【００３５】
なお、上記実施形態においては、接続箱本体としてフレーム２を用いたが、既存の有底の（ロアカバーを兼ねる）接続箱本体を用いて、一方の突起１５と他方の爪部２１ａを設けることも可能である。
【００３６】
また、上記実施形態においては、カバー１０の回動支点（一方の係止手段）として接続箱本体２の一方に外向きの突起１５、カバー１０の一方に枠状フック１４を設けたが、例えば、接続箱本体２の一方に枠状フック１４、カバー１０の一方に内向きの突起（図示せず）を設け、傾斜ガイド面８等によるカバー１０の誘導作用で、内向きの突起を枠状フック１４に外側から係合させることも可能である。また、他方の係止手段として、カバー１０に爪部２１ａ、接続箱本体２にロックアーム１９を設けることも可能である。他方の係止手段の形態や組み合わせは適宜設定可能である。
【００３７】
また、上記実施形態においては、カバー１０の誘導手段として、接続箱本体２に傾斜ガイド面８とアシスト用のリブ９との両方を設けたが、例えば傾斜ガイド面８のみ、あるいはアシスト用のリブ９のみを設けることも有効である。傾斜ガイド面８のみを設けた場合、カバー１０は接続箱本体２の傾斜ガイド面８に沿って水平に移動しつつ、枠状フック１４が突起１５に誘導される。アシスト用のリブ９のみを設けた場合は、図１の実施形態（傾斜ガイド面８とリブ９とを設けた場合）と同様に、カバー１０がアシスト用のリブ９に沿って斜め上向きに移動しつつ、枠状フック１４が突起１５に誘導される。
【００３８】
また、上記実施形態においては、ブラケット４の傾斜ガイド面８やアシスト用のリブ９をアッパカバー１０の組付・閉止に適用したが、ロアカバー２５の組付・閉止においても、フレーム２の下部側にブラケット４の支持壁６を設け、支持壁６の下部に傾斜ガイド面８やアシスト用のリブ９を設けて、対応することができる。
【図面の簡単な説明】
【００３９】
【図１】（ａ）（ｂ）は、本発明に係る電気接続箱のカバー閉止構造の一実施形態を作用順に示す要部斜視図である。
【図２】同じく電気接続箱のカバー閉止構造を示す分解正面図である。
【図３】電気接続箱の反対側（他方）のロック手段を示す分解斜視図である。
【図４】（ａ）（ｂ）はカバー閉止前の状態を異なる角度から示す分解斜視図である。
【図５】（ａ）（ｂ）はカバー閉止時の状態を異なる角度から示す斜視図である。
【図６】同じくカバー閉止時の状態を示す平面図である。
【図７】（ａ）は従来の電気接続箱のカバー閉止構造の一形態を一方から示す斜視図、（ｂ）は他方から示す分解斜視図である。
【符号の説明】
【００４０】
１      電気接続箱
２      フレーム（接続箱本体）
３      外壁
４      ブラケット
７ａ    面（上面）
８      傾斜ガイド面
９      リブ（傾斜部）
１０    カバー
１１    外壁
１２    傾斜辺部
１３    水平辺部
１４    枠状フック（一方の被係止部）
１５    突起（一方の係止部）
１９    ロックアーム（他方の被係止部）
２１ａ  爪部（他方の係止部）
【図１】
2010124562.tif 000003
【図２】
2010124562.tif 000004
【図３】
2010124562.tif 000005
【図４】
2010124562.tif 000006
【図５】
2010124562.tif 000007
【図６】
2010124562.tif 000008
【図７】
2010124562.tif 000009